(57)【特許請求の範囲】
【請求項１】
上面に縦溝部と該縦溝部よりも浅い横溝部が設けられており、縦溝部は縦支持材を挿入できる幅を有し、横溝部は横支持材を挿入できる幅を有しており、縦溝部に縦支持材を載せたとき、該縦支持材の最上位の箇所と前記横溝部の底面の位置とがほぼ同じ高さになるよう前記縦溝部と横溝部が形成されている断熱下地材。
【請求項２】
上面に横溝部と該横溝部よりも浅い縦溝部が設けられており、横溝部は横支持材を挿入できる幅を有し、縦溝部は縦支持材を挿入できる幅を有しており、横溝部に横支持材を載せたとき、該横支持材の最上位の箇所と前記縦溝部の底面の位置とがほぼ同じ高さになるよう前記横溝部と縦溝部が形成されている断熱下地材。
【請求項３】
請求項１または２記載の断熱下地材の、縦溝部に縦支持材を載せ、横溝部に横支持材を載せ、縦支持材と横支持材とが交差している下地構造。
【発明の詳細な説明】
【０００１】
【発明の属する技術分野】
本発明は、主として屋根の下地に用いる断熱下地材および、その断熱下地材を用いた下地構造に関するものである。
【０００２】
【従来の技術】
屋根の改修のニーズに対し、既存の下地がモヤ下地かタルキ下地かによって、また、その上に葺く新設の屋根材が縦葺き屋根材か横葺き屋根材かによって、断熱下地材などの部材や施工法をその都度変えていた。
たとえば、既存のモヤ５下地の上に葺かれた既存の瓦棒葺き屋根９を改修して横葺き屋根にする場合の一例を図４５に基づいて説明する。まず、既存の瓦棒葺き屋根９の瓦棒９１・９１間に断熱下地材１を落とし込む。そして、既存の瓦棒９１の上に木材２を載せて断熱下地材１と同じ高さにしてモヤ５に固定する。その上に新設の野地材７を敷いて、前述の木材２に固定し、その上に横葺き屋根材を葺いていく方法があった。
【０００３】
【発明が解決しようとする課題】
前述の施工例の場合は、モヤ下地の上に葺かれた瓦棒葺き屋根を改修して横葺き屋根にする場合であるが、タルキ下地であったり、縦葺き屋根に改修したりする場合には、また別の部材や施工法を考えなければならなかった。このため、現場によってさまざまな部材を揃える必要があった。
また、近年、外断熱構造の要望が高まっているが、その要求に応えると共に、さまざまな下地の改修に対応することができる断熱下地材が必要であった。
本発明は、これらの課題を解決するために工夫した断熱下地材と、それを用いた下地構造を提供することを目的とする。
【０００４】
【課題を解決するための手段】
上記の課題を解決する本発明のうち、請求項１記載の発明は、上面に縦溝部と該縦溝部よりも浅い横溝部が設けられており、縦溝部は縦支持材を挿入できる幅を有し、横溝部は横支持材を挿入できる幅を有している。
縦溝部に縦支持材を載せたとき、該縦支持材の最上位の箇所と前記横溝部の底面の位置とがほぼ同じ高さになるよう前記縦溝部と横溝部が形成されている断熱下地材であること、を手段としている。
【０００５】
請求項２記載の発明は、上面に横溝部と該横溝部よりも浅い縦溝部が設けられており、横溝部は横支持材を挿入できる幅を有し、縦溝部は縦支持材を挿入できる幅を有している。
横溝部に横支持材を載せたとき、該横支持材の最上位の箇所と前記縦溝部の底面の位置とがほぼ同じ高さになるよう前記横溝部と縦溝部が形成されている断熱下地材であること、を手段としている。
【０００６】
請求項３記載の発明は、請求項１または２記載の断熱下地材の、縦溝部に縦支持材を載せ、横溝部に横支持材を載せ、縦支持材と横支持材とが交差している下地構造であること、を手段としている。
【０００７】
【発明の実施の形態】
本発明にかかる断熱下地材は、上面に縦溝部と該縦溝部よりも浅い横溝部が設けられており、縦溝部は縦支持材を挿入できる幅を有し、横溝部は横支持材を挿入できる幅を有している。
縦溝部に縦支持材を載せたとき、該縦支持材の最上位の箇所と前記横溝部の底面の位置とがほぼ同じ高さになるよう前記縦溝部と横溝部が形成されている断熱下地材である。
【０００８】
また、他の実施の形態として、上面に横溝部と該横溝部よりも浅い縦溝部が設けられており、横溝部は横支持材を挿入できる幅を有し、縦溝部は縦支持材を挿入できる幅を有している。
横溝部に横支持材を載せたとき、該横支持材の最上位の箇所と前記縦溝部の底面の位置とがほぼ同じ高さになるよう前記横溝部と縦溝部が形成されている断熱下地材である。
【０００９】
そして、それらの断熱下地材において、裏面には、切り欠き条部が設けられている実施の形態もあり、また、上面に縦溝部と平行に通気溝が設けられている実施の形態もある。他に、一側端には、横重なり部が形成され、反対側の一側端には、被横重なり部が形成されている実施の形態もある。
【００１０】
さらに、そのように構成された断熱下地材の、縦溝部に縦支持材を載せ、横溝部に横支持材を載せ、縦支持材と横支持材とが交差している下地構造である。
【００１１】
【実施例】
本発明について、図面をもとに説明する。図１から図４は、本発明に係る断熱下地材の第一実施例を示す図である。図１は斜視図であり、図２は平面図であり、図３は右側面図であり、図４は正面図である。
図５から図８は、本発明に係る断熱下地材の第二実施例を示す図である。図５は斜視図であり、図６は平面図であり、図７は右側面図であり、図８は正面図である。
図１から図４に示した第一実施例の断熱下地材１と図５から図８に示した第二実施例の断熱下地材１を、別々に用いることもできるし、第一実施例の断熱下地材１の上に第二実施例の断熱下地材１を組み合わせて用いることもできる。これらの断熱下地材１は、断熱性能と下地材としての機能とを果たすものである。そして、上面に形成される溝部に、後述する支持材４を載せて用いるものである。
【００１２】
まず、図１から図４により、第一実施例の断熱下地材１について説明する。この断熱下地材１は、たとえば発泡樹脂でできており、上面側には、浅縦溝部１７ａと深縦溝部１７ｂとから成る縦溝部１７が形成されている。また、浅横溝部１８ａと深横溝部１８ｂとから成る横溝部１８並びに上面部１１が形成されており、裏面側は、切り欠き条部１２を除いてはほぼ平らである。
施工時には、縦溝部１７及び切り欠き条部１２は軒−棟方向になるように設置され、上面部１１には屋根材や他の断熱下地材などが載置される。
【００１３】
上面側の各溝について説明すると、深縦溝部１７ｂと深縦溝部１７ｂよりも浅い浅横溝部１８ａが設けられており、深縦溝部１７ｂは縦支持材４ａを挿入できる幅を有し、浅横溝部１８ａは横支持材４ｂを挿入できる幅を有している。
深縦溝部１７ｂに縦支持材４ａを載せたとき、その縦支持材４ａの最上位の箇所と浅横溝部１８ａの底面の位置とがほぼ同じ高さになるよう深縦溝部１７ｂと浅横溝部１８ａが形成されている。
また、深横溝部１８ｂと深横溝部１８ｂよりも浅い浅縦溝部１７ａが設けられており、深横溝部１８ｂは横支持材４ｂを挿入できる幅を有し、浅縦溝部１７ａは縦支持材４ａを挿入できる幅を有している。
深横溝部１８ｂに横支持材４ｂを載せたとき、その横支持材４ｂの最上位の箇所と浅縦溝部１７ａの底面の位置とがほぼ同じ高さになるよう深横溝部１８ｂと浅縦溝部１７ａとが形成されている。
そして、軒−棟方向および左右方向に断熱下地材１を並べたときに、隣り合う浅横溝部１８ａ同士、深横溝部１８ｂ同士、浅縦溝部１７ａ同士、深縦溝部１７ｂ同士は連通して配置される。
【００１４】
さらに断熱下地材１の裏面側には、縦溝部１７と平行に切り欠き条部１２が形成されており、既存の瓦棒葺き屋根の瓦棒をまたぐことができる形状をしている。
この切り欠き条部１２は、施工時、軒−棟方向に複数の断熱下地材１を配置したときに、連通するように配置される。本実施例の場合のように、台形にくり抜くなどして、瓦棒葺き屋根の瓦棒との間に隙間を作り、空気が流通するようにするとよい。
施工時、断熱下地材１同士を連結するための手段の一例として、断熱下地材１の棟側に棟側被重なり部１３が形成され、軒側に軒側重なり部１４が形成されており、棟側被重なり部１３に軒側重なり部１４を重ねていく。左右方向は、一側端に被横重なり部１５が、反対側の側端に横重なり部１６が形成されており、被横重なり部１５に横重なり部１６を重ねていく。このように断熱下地材１同士を連結しながら、各断熱下地材１をモヤやタルキ等安定して固定できる部材に、固定していくのである。
本実施例の場合には、断熱下地材１の軒側端に、厚みの上部を突出させた軒側重なり部１４が形成され、棟側端に、厚みの下部を突出させた棟側被重なり部１３が形成されている。また、断熱下地材１の一側端に、厚みの上部を突出させた横重なり部１６が形成され、反対側の側端に、厚みの下部を突出させた被横重なり部１５が形成されているが、本発明においては、これらの各部分の形状を限定するものではない。
【００１５】
そして、本実施例の場合には、左右に隣り合う断熱下地材１の被横重なり部１５と横重なり部１６をずらすことで間隔を調整して並べることができ、ピッチ（注記；ピッチとは間隔を指す単語として当業者間で普通に用いられている言葉である）の異なる既存の瓦棒葺き屋根の瓦棒に対応してかぶせることができるように被横重なり部１５と横重なり部１６のそれぞれの幅が設定されている。
たとえば、既存の瓦棒葺き屋根のピッチが４５５ｍｍなら、左右に隣り合う断熱下地材１を少し離して載せ、４５５ｍｍ幅の金属板を用いた４１８ｍｍピッチの瓦棒葺き屋根の場合なら、隣り合う断熱下地材１同士の間隔を狭めて載せ、左右の断熱下地材１を少し離した場合でも、被横重なり部１５と横重なり部１６が必ず重合するように寸法設定されている。
また、本実施例の浅縦溝部１７ａと深縦溝部１７ｂとは、断熱下地材１を敷き並べたとき、隣り同士の浅縦溝部１７ａと浅縦溝部１７ａとの間隔が、また、深縦溝部１７ｂと深縦溝部１７ｂとの間隔が、それぞれ、既存のタルキピッチや新設の横葺き屋根材の止着ピッチとしてよく用いられる４５５ｍｍピッチにすることができるように形成されている。
本実施例の場合には、左右に隣り合う断熱下地材１・１の被横重なり部１５と横重なり部１６をほぼすっかり重ねたときに、４１８ｍｍになるように設計されている。
浅横溝部１８ａと深横溝部１８ｂも、断熱下地材１を敷き並べたとき、隣り同士の浅横溝部１８ａと浅横溝部１８ａとの間隔が、また、深横溝部１８ｂと深横溝部１８ｂとの間隔が、それぞれ、既存のモヤピッチや新設の縦葺き屋根材の止着ピッチとしてよく用いられる６０６ｍｍピッチに合わせて形成されている。このため、左右方向は既存のタルキに合わせて、軒−棟方向は既存のモヤに合わせて施工することができる。
【００１６】
次に、第二実施例の断熱下地材１について、図５から図８により説明する。断熱下地材１は、たとえば発泡樹脂でできており、本実施例の場合には、上面側には縦溝部１７、横溝部１８、通気溝２が形成されており、下面側はほぼ平らである。
詳述すると、上面側は、その上に施工される屋根材を載せる上面部１１と、浅縦溝部１７ａと深縦溝部１７ｂ、浅横溝部１８ａと深横溝部１８ｂとが形成されている。そして、本実施例の場合には、縦溝部１７と平行に、通気溝２が形成されている。
【００１７】
上面側の各溝について説明すると、深縦溝部１７ｂと深縦溝部１７ｂよりも浅い浅横溝部１８ａが設けられており、深縦溝部１７ｂは縦支持材４ａを挿入できる幅を有し、浅横溝部１８ａは横支持材４ｂを挿入できる幅を有している。
深縦溝部１７ｂに縦支持材４ａを載せたとき、その縦支持材４ａの最上位の箇所と浅横溝部１８ａの底面の位置とがほぼ同じ高さになるよう深縦溝部１７ｂと浅横溝部１８ａが形成されている。
また、深横溝部１８ｂと深横溝部１８ｂよりも浅い浅縦溝部１７ａが設けられており、深横溝部１８ｂは横支持材４ｂを挿入できる幅を有し、浅縦溝部１７ａは縦支持材４ａを挿入できる幅を有している。
深横溝部１８ｂに横支持材４ｂを載せたとき、その横支持材４ｂの最上位の箇所と浅縦溝部１７ａの底面の位置とがほぼ同じ高さになるよう深横溝部１８ｂと浅縦溝部１７ａが形成されている。
そして、軒−棟方向および左右方向に断熱下地材１を並べたときに、浅縦溝部１７ａ同士、深縦溝部１７ｂ同士、浅横溝部１８ａ同士、深横溝部１８ｂ同士、通気溝２同士は連通して配置される。
【００１８】
施工時、断熱下地材１同士を連結するための手段の一例として、断熱下地材１の棟側に棟側被重なり部１３が形成され、軒側に軒側重なり部１４が形成されており、棟側被重なり部１３に軒側重なり部１４を重ねていく。左右方向は、一側端に被横重なり部１５が、反対側の側端に横重なり部１６が形成されており、被横重なり部１５に横重なり部１６を重ねていく。このように断熱下地材１同士を連結しながら、各断熱下地材１をモヤやタルキ等固定できる部材に、固定していくのである。
本実施例の場合には、断熱下地材１の軒側端に、厚みの上部を突出させた軒側重なり部１４が形成され、棟側端に、厚みの下部を突出させた棟側被重なり部１３が形成されている。また、断熱下地材１の一側端に、厚みの上部を突出させた横重なり部１６が形成され、反対側の側端に、厚みの下部を突出させた被横重なり部１５が形成されているが、本発明においては、これらの各部分の形状を限定するものではない。
【００１９】
また、本実施例の浅縦溝部１７ａと深縦溝部１７ｂとは、左右に隣り合う断熱下地材１・１の被横重なり部１５と横重なり部１６をほぼすっかり重ねて敷き並べたとき、隣り同士の浅縦溝部１７ａと浅縦溝部１７ａとの間隔が、また、深縦溝部１７ｂと深縦溝部１７ｂとの間隔は、４１８ｍｍピッチになるように形成されている。
浅横溝部１８ａと深横溝部１８ｂも、断熱下地材１を敷き並べたとき、隣り同士浅横溝部１８ａと浅横溝部１８ａとの間隔が、また、深横溝部１８ｂと深横溝部１８ｂとの間隔が、それぞれ、既存のモヤピッチや新設の縦葺き屋根材の止着ピッチとしてよく用いられる６０６ｍｍピッチに合わせて形成されている。このため、左右方向はタルキに合わせて、軒−棟方向はモヤに合わせて施工することができる。
【００２０】
これまで述べた断熱下地材１の縦溝部１７と横溝部１８には、支持材４を載せる。そこで、図９（ア）（イ）により、この支持材４の実施例について説明しておく。
その支持材４は、図９（ア）の場合には、支持材４を固定するための止着具Ｃの頭が突出しないように中央部分をくぼませた止着部４１と、止着部４１の左右の端縁を折り下げた脚部４２・４２と、脚部４２・４２をそれぞれ外側方向に折り曲げた載置部４３・４３とから成っている。
また、図９（イ）のような形状の支持材４でもよい。この支持材４は、止着具Ｃを固定するための止着部４１と、止着部４１の左右の端縁をそれぞれ立ち上げた脚部４２・４２と、脚部４２・４２をそれぞれ外側方向に折り曲げた載置部４３・４３とから成っている。
これらの支持材４は一例にすぎず、浅縦溝部１７ａ及び深縦溝部１７ｂと浅横溝部１８ａ及び深横溝部１８ｂとに載せることができる幅で、タルキやモヤといった下地材に固定でき、かつ屋根材を固定することができる形状や材質であればよい。
本明細書中において、前記支持材４を、縦溝部１７に載せる場合には縦支持材４ａと称し、横溝部１８に載せる場合には横支持材４ｂと称して、説明していく。
【００２１】
以下に、図１０から図４３に基づいて、各種施工態様における、前述の第一実施例・第二実施例を用いた施工の様子を説明していく。
まず、図１０〜図２５は第一実施例の断熱下地材１を下層に用い、第二実施例の断熱下地材１を上層に用いた屋根の施工例について説明する。図２６〜図４３は、第一実施例の断熱下地材１か第二実施例の断熱下地材１のいずれか一方を用いた屋根の施工例について説明する。
第一実施例の断熱下地材１と第二実施例の断熱下地材１とを組み合わせた場合には、高い断熱効果が得られ、断熱下地材１を載せる際の下地や、断熱下地材１の上に施工する屋根材との組み合わせはいくつかあるので、順を追って説明する。
【００２２】
尚、図１０・図１２・図１４・図１６・図１８・図２０・図２２・図２４・図２６・図１８・図３０・図３２において、第一実施例の断熱下地材１の上に第二実施例の断熱下地材１を載せて示しているが、その第二実施例の断熱下地材１は、図５に示されたものとは異なり、浅横溝部１８ａのみが形成されている。
このように、縦溝部１７は、浅縦溝部１７ａと深縦溝部１７ｂとを形成し、横溝部１８は、深縦溝部１７ｂに載せられた縦支持材４ａの上面の高さとほぼ同じ高さの底面を有する浅横溝部１８ａのみを形成してもよい。
【００２３】
まず、図１０と図１１により、既存のモヤ５の上に施工された既存のスレート瓦８を新設の縦葺き屋根材を用いて改修する場合を説明する。尚、図１０中、破線で示された縦支持材４ａについては、後述する。
この場合には、第一実施例の断熱下地材１を、既存のモヤ５及び既存の野地材７の上に施工された既存のスレート瓦８の上に載せ、第一実施例の断熱下地材１の上に第二実施例の断熱下地材１を載せる（つまり、第一実施例の断熱下地材１が下層、第二実施例の断熱下地材１が上層となる）。
次に、上層となっている断熱下地材１の浅横溝部１８ａに横支持材４ｂを載せて、その上から既存のモヤ５に止着具Ｃで横支持材４ｂを固定する。
そして、上層となっている断熱下地材１の浅横溝部１８ａに載せられて既存のモヤ５に固定された横支持材４ｂに、新設の縦葺き屋根材を固定するための吊子を所定の間隔で載せ、止着具で横支持材４ｂに止着する。そして、その吊子を介して新設の縦葺き屋根材を固定していく。
このとき、上層となっている断熱下地材１には、既存のモヤピッチとほぼ同じピッチで浅横溝部１８ａが形成されているため（段落番号１９参照）、横支持材４ｂを既存のモヤ５に確実に止着できる。
【００２４】
また、上層となっている断熱下地材１には通気溝２があり、さらに、他にも軒−棟方向に連通している縦溝部１７や切り欠き条部１２などがあるため、それらによって通気がなされ、水蒸気が排出される。外断熱には水蒸気を排出する機能が求められるが、その要求に応えるものである。
そして、前述の通り通気がされるため、輻射熱を下げることができる。
【００２５】
次に、図１２と図１３（ア）（イ）により、既存のモヤ５の上に施工された瓦棒葺き屋根９を新設の縦葺き屋根材で改修する場合を説明する。（なお、図１２中破線で示された縦支持材４ａについては後述する。）これらの断熱下地材は、第一実施例の断熱下地材１の上に第二実施例の断熱下地材１を載置しており、第一実施例の断熱下地材１が下層、第二実施例の断熱下地材１が上層となる。
図１２の上層となっている断熱下地材１は、第二実施例の断熱下地材１であるが、その横溝部１８は、図１０同様に、深縦溝部１７ａよりも浅い浅横溝部１８ａ一種類が形成されたものである。
まず、下層となっている断熱下地材１を、その切り欠き条部１２が瓦棒９１にかぶさるようにして瓦棒葺き屋根９に載せる。
【００２６】
このとき、既存の瓦棒葺き屋根９のピッチが４５５ｍｍなら、図１３（ア）のように、左右に隣り合う断熱下地材１を少し離して載せる。４５５ｍｍ幅の金属板を用いた４１８ｍｍピッチの瓦棒葺き屋根９の場合なら、図１３（イ）のように隣り合う断熱下地材１同士の間隔を狭めて載せることになる（段落番号１５参照）。
本実施例の下層となっている断熱下地材１は、左右の断熱下地材１を少し離した場合でも、被横重なり部１５と横重なり部１６が必ず重合するように寸法設定されている。
【００２７】
このような被横重なり部１５に横重なり部１６を重ねながら、瓦棒葺き屋根９の瓦棒９１に切り欠き条部１２をかぶせて、断熱下地材１を設置し、その断熱下地材１の上に上層となる第二実施例の断熱下地材１を載せる。
次に、上層となっている断熱下地材１の浅横溝部１８ａに横支持材４ｂを載せて、その上から止着具Ｃを貫通させて既存のモヤ５に固定する。
続いて、浅横溝部１８ａに載せられて既存のモヤ５に固定された横支持材４ｂに、縦葺き屋根材を固定するための吊子を所定の間隔で載せてから、止着具で横支持材４ｂに止着する。そして、その吊子を介して縦葺き屋根材を固定していく。
このとき、断熱下地材１には既存のモヤピッチとほぼ同じ間隔で浅横溝部１８ａが形成されているため、横支持材４ｂを既存のモヤ５に確実に止着できる。
【００２８】
また、上層となっている断熱下地材１には通気溝２があり、さらに、他にも軒−棟方向に連通している縦溝部１７や切り欠き条部１２などがあるため、それらによって通気がなされ、水蒸気が排出される。外断熱には水蒸気を排出する機能が求められるが、その要求に応えるものである。
そして、そのように通気がなされるため、輻射熱を下げることができるという効果もある。
【００２９】
図１４及び図１５は、既存のモヤ５の上に施工された既存のスレート瓦８を、新設の横葺き屋根材で改修する場合を示している。
まず、第一実施例の断熱下地材１を、既存のモヤ５及び既存の野地材７の上に施工された既存のスレート瓦８に載せ、その断熱下地材１の上に第二実施例の断熱下地材１を載せ、第一実施例の断熱下地材１を下層、第二実施例の断熱下地材１を上層とする。
次に、上層となっている断熱下地材１の浅縦溝部１７ａに縦支持材４ａを載せて止着具Ｃにて既存のモヤ５に固定し、その縦支持材４ａに、新設の横葺き屋根材を固定するための吊子を所定の間隔で止着する。
そして、その吊子を介して新設の横葺き屋根材を固定していく。あるいは、縦支持材４ａに横葺き屋根材を止着具で直接止着してもよい。
【００３０】
上層となっている断熱下地材１には、新設の横葺き屋根材を施工するときの止着ピッチで浅縦溝部１７ａが形成されており、その浅縦溝部１７ａに縦支持材４ａを載せて止着具Ｃで固定し、その上に、新設の横葺き屋根材を固定ていく。
一般に、新設の横葺き屋根材を固定する縦支持材４ａを配置するにあたり、新設の横葺き屋根材の止着ピッチにあわせて墨出し作業をするが、本実施例の断熱下地材１は、浅縦溝部１７ａが新設の横葺き屋根材の止着ピッチで設けられているため、その浅縦溝部１７ａに縦支持材４ａを載せることで、止着ピッチに縦支持材４ａを配置することができる。こうして、墨出し作業を省くことができるものである。
【００３１】
この図１４及び図１５の上層となっている断熱下地材１は、４１８ｍｍの止着ピッチを想定しているため、横重なり部１６と被横重なり部１５はほぼ隙間無く重なっているが、この同じ断熱下地材１を４５５ｍｍの止着ピッチに対応させるには、横重なり部１６と被横重なり部１５を少し左右にずらして、重なり部分を減らすことで対応できる。
このように被横重なり部１５と横重なり部１６が設けられているため、一種類の断熱下地材１で幾種もの止着ピッチに対応することができ、ひいては在庫管理も容易になるという効果がある。
【００３２】
また、上層となっている断熱下地材１には通気溝２があり、さらに、他にも軒−棟方向に連通している縦溝部１７や切り欠き条部１２などがあるため、それらによって通気がなされ、水蒸気が排出される。外断熱には水蒸気を排出する機能が求められるが、その要求に応えるものである。
そして、そのように通気がなされるため、輻射熱を下げることができるという効果もある。
【００３３】
図１６及び図１７（ア）（イ）は、既存のモヤ５の上に施工された既存の瓦棒葺き屋根９を、新設の横葺き屋根材で改修する場合を示し、第一実施例の断熱下地材１を下層に、第二実施例の断熱下地材１を上層にしている。
【００３４】
このような改修方法の場合には、まず、下層となっている断熱下地材１を、切り欠き条部１２が瓦棒９１にかぶさるようにして、既存の瓦棒葺き屋根９に載せる。
このとき、既存の瓦棒葺き屋根９のピッチが４５５ｍｍなら、図１７（ア）のように、下層となっている断熱下地材１の被横重なり部１５に隣の断熱下地材１の横重なり部１６を少しずらして載せる。
４５５ｍｍ幅の金属板を用いた４１８ｍｍピッチの既存の瓦棒葺き屋根９の場合なら、図１７（イ）のように下層となっている断熱下地材１の被横重なり部１５に隣の断熱下地材１の横重なり部１６をほとんどずらすことなく載せる。
【００３５】
本実施例の下層となっている断熱下地材１は、左右の断熱下地材１を４５５ｍｍピッチの既存の瓦棒葺き屋根に対応させるためにずらした場合でも、被横重なり部１５と横重なり部１６が必ず重合するように寸法設定され、一般に用いられている４１８ｍｍピッチと４５５ｍｍピッチとのいずれの既存の瓦棒葺き屋根にも用いることができるものである。
このように、下層となっている断熱下地材１に被横重なり部１５と横重なり部１６が設けられているため、同じ断熱下地材１で複数の既存の瓦棒葺き屋根９のピッチに対応することができ、ひいては在庫管理も容易になるという効果がある。
【００３６】
その後、下層となっている断熱下地材１の上に第二実施例の断熱下地材１を載せ、この上層となっている断熱下地材１の浅縦溝部１７ａに縦支持材４ａを載せて、その上から止着具Ｃを貫通させて既存のモヤ５に固定する。
上層となっている断熱下地材１には、新設の横葺き屋根材を施工するときの止着ピッチで浅縦溝部１７ａが形成されており、その浅縦溝部１７ａに縦支持材４ａを載せて止着具Ｃで固定する。その上に、新設の横葺き屋根材を固定するための吊子を所定の間隔で止着し、その吊子を介して横葺き屋根材を固定していく。または、横葺き屋根材を直接縦支持材４ａに止着してもよい。
【００３７】
一般に、新設の横葺き屋根材を施工するための縦支持材４ａの位置決めをするために、墨出し作業を必要としているが、本実施例は断熱下地材１の浅縦溝部１７ａが、新設の横葺き屋根材の止着ピッチで設定されているため、墨出し作業を省くことができるという利点がある。
【００３８】
この図１６及び図１７の上層となっている断熱下地材１は、新設の横葺き屋根材の止着ピッチとして４１８ｍｍピッチを想定しているため、横重なり部１６と被横重なり部１５はほぼ隙間無く重なっている。この同じ断熱下地材１を４５５ｍｍの止着ピッチに対応させるには、横重なり部１６と被横重なり部１５を少し左右にずらして、重なり部分を減らすことで対応できる。
このように、上層となっている断熱下地材１も被横重なり部１５と横重なり部１６が設けられているため、同じ断熱下地材１で複数の止着ピッチに対応することができ、ひいては在庫管理も容易になるという効果がある。
【００３９】
また、上層となっている断熱下地材１には通気溝２があり、さらに、他にも軒−棟方向に連通している縦溝部１７や切り欠き条部１２などがあるため、それらによって通気がなされ、水蒸気が排出される。外断熱には水蒸気を排出する機能が求められるが、その要求に応えるものである。
そして、そのように通気がなされるため、輻射熱を下げることができるという効果もある。
【００４０】
ここからは、既存のタルキ６下地の上に、第一実施例の断熱下地材１と第二実施例の断熱下地材１とを組み合わせて施工する実施例を説明する。
図１８及び図１９は、既存のタルキ６の上に施工された既存のスレート瓦８を、縦葺き屋根材で改修する場合を示している。
この場合には、断熱下地材１を、既存のタルキ６及び野地材７の上に施工されたスレート瓦８に載せ、第一実施例の断熱下地材１の上に第二実施例の断熱下地材１を載せる。続いて、上層となった第二実施例の断熱下地材１の浅横溝部１８ａに横支持材４ｂを載せて、その上から止着具Ｃを貫通させて既存のタルキ６に固定する。
さらに、浅横溝部１８ａに載せられて既存のタルキ６に固定された横支持材４ｂに、縦葺き屋根材を固定するための吊子を所定の間隔で載せてから、止着具で横支持材４ｂに止着する。そして、その吊子に縦葺き屋根材を施工していく。
このとき、断熱下地材１には新設の縦葺き屋根材の止着ピッチとほぼ同じ間隔で浅横溝部１８ａが形成されているため、浅横溝部１８ａに横支持材４ｂを配置していくことで、本実施例の場合には、横支持材４ｂをほぼ６０６ｍｍピッチでタルキ６に確実に止着できる。（段落番号１９参照）
また、断熱下地材１には通気溝２があり、さらに、他にも軒−棟方向に連通している箇所があるため、それらによって通気がなされ、水蒸気が排出される。外断熱には水蒸気を排出する機能が求められるが、その要求に応えるものである。
そして、そのように通気がなされるため、輻射熱を下げることができる。
【００４１】
図２０及び図２１は、既存のタルキ６上に施工された既存の瓦棒葺き屋根９を、縦葺き屋根材で改修する場合を示している。
この場合には、第一実施例の断熱下地材１を、その切り欠き条部１２が瓦棒９１にかぶさるようにして瓦棒葺き屋根９に載せる。このとき、瓦棒葺き屋根９のピッチが４５５ｍｍなら、図２１のように、左右に隣り合う断熱下地材１・１を少し離して載せる。４５５ｍｍ幅の金属板を用いた４１８ｍｍピッチの瓦棒葺き屋根９の場合なら、隣り合う断熱下地材１・１同士の間隔を狭めて載せることになる。本実施例の断熱下地材１は、左右の断熱下地材１・１を少し離した場合でも、被横重なり部１５と横重なり部１６が必ず重合するように寸法設定されている。また、その重なりも、このように、瓦棒葺き屋根９の異なるピッチを想定して調整できるようにしてある。
いずれの場合にも、第一実施例の断熱下地材１の上に第二実施例の断熱下地材１を載せる。次に、上層である第二実施例の断熱下地材１の浅横溝部１８ａに横支持材４ｂを載せて、その上から止着具Ｃを貫通させて既存のタルキ６に固定する。
続いて、浅横溝部１８ａに載せられてタルキ６に固定された横支持材４ｂに、縦葺き屋根材を固定するための吊子を所定の間隔で載せてから、止着具で止着する。そして、その吊子に縦葺き屋根材を施工していく。
このとき、上層である第二実施例の断熱下地材１には新設の縦葺き屋根材の止着ピッチとほぼ同じ間隔で浅横溝部１８ａが形成されている。このため、浅横溝部１８ａに横支持材４ｂを配置していくことで、本実施例の場合には、横支持材４ｂをほぼ６０６ｍｍピッチでタルキ６に確実に止着できる。また、この断熱下地材１には通気溝２があり、さらに、他にも軒−棟方向に連通している箇所があるため、前述の効果を得ることができる。
【００４２】
図２２及び図２３は、既存のタルキ６の上に施工された既存のスレート瓦８を、横葺き屋根材で改修する場合を示している。
まず、第一実施例の断熱下地材１を、既存のタルキ６及び野地材７の上に施工された既存のスレート瓦８に載せ、第一実施例の断熱下地材１の上に第二実施例の断熱下地材１を載せる。このとき、上層である第二実施例の断熱下地材１の浅縦溝部１７ａが既存のタルキ６の上に位置するように被横重なり部１５と横重なり部１６とを調整し、浅縦溝部１７ａに縦支持材４ａを載せて、その上から止着具Ｃを既存のタルキ６に貫通させて固定する。
続いて、浅縦溝部１７ａに載せられて既存のタルキ６に固定された縦支持材４ａに、横葺き屋根材を固定するための吊子を所定の間隔で載せてから、止着具で縦支持材４ａに止着する。そして、その吊子に横葺き屋根材を施工していく。あるいは、横葺き屋根材を、直接縦支持材４ａに止着していく。
また、この断熱下地材１には通気溝２があり、さらに、他にも軒−棟方向に連通している箇所があるため、前述の効果を得ることができる。
【００４３】
図２４及び図２５は、既存のタルキ６及び野地材７の上に施工された既存の瓦棒葺き屋根９を、横葺き屋根材で改修する場合を示している。
この場合には、まず、その切り欠き条部１２が瓦棒９１にかぶさるようにして第一実施例の断熱下地材１を既存の瓦棒葺き屋根９に載せる。このとき、既存の瓦棒葺き屋根９のピッチが４５５ｍｍなら、図２５のように、左右に隣り合う断熱下地材１・１を少し離して載せる。４５５ｍｍ幅の金属板を用いた４１８ｍｍピッチの瓦棒葺き屋根９の場合なら、隣り合う断熱下地材１・１同士の間隔を狭めて載せることになる。本実施例の断熱下地材１は、左右の断熱下地材１・１を少し離した場合でも、被横重なり部１５と横重なり部１６が必ず重合し、どちらの瓦棒葺き屋根９にも対応するように寸法設定されている。
いずれの場合にも、第一実施例の断熱下地材１の上に第二実施例の断熱下地材１を載せる。このとき、上層である第二実施例の断熱下地材１の浅縦溝部１７ａが既存のタルキ６の上に位置するように、被横重なり部１５と横重なり部１６とを調整して配置する。次に、その浅縦溝部１７ａに縦支持材４ａを載せて、その上から止着具Ｃを貫通させて既存のタルキ６に固定する。
続いて、浅縦溝部１７ａに載せられて既存のタルキ６に固定された縦支持材４ａに、横葺き屋根材を固定するための吊子を所定の間隔で載せてから、止着具で止着する。そして、その吊子に横葺き屋根材を施工していく。
このとき、第二実施例の断熱下地材１の被横重なり部１５と横重なり部１６とで左右方向の重なりを調整することができるため、浅縦溝部１７ａに縦支持材４ａを配置していくことで、縦支持材４ａを既存のタルキ６に止着できる。
また、断熱下地材１には通気溝２があり、さらに、他にも軒−棟方向に連通している箇所があるため、前述の通りの効果を得ることができる。
【００４４】
続いて、図１０及び図１２の破線で示した縦支持材４ａについて説明しておく。まず、図１０から説明する。図１０は、既存のモヤ５の上に施工された既存のスレート瓦８を、縦葺き屋根材で改修する場合を示している。モヤ５は通常６０６ｍｍピッチで施工されているが、軒先や棟などの部位ではその間隔が調整されていることがある。また、左右方向にまっすぐに芯が通っていない場合もある。このような場合には、まず、上層である第二実施例の断熱下地材１の深縦溝部１７ｂに縦支持材４ａを載せて（図１０中破線部）既存のモヤ５に固定する。次に、その縦支持材４ａ上に交差させて、浅横溝部１８ａに横支持材４ｂを載せ、それを深縦溝部１７ｂ上に位置する縦支持材４ａに止着する。
【００４５】
図１２は、既存のモヤ５の上に施工された既存の瓦棒葺き屋根９を、縦葺き屋根材で改修する場合を示している。モヤ５は通常６０６ｍｍピッチで施工されているが、軒先や棟などの部位ではその間隔が調整されていることがある。また、左右方向にまっすぐに芯が通っていない場合もある。
このような場合にも図１０同様に、上層である第二実施例の断熱下地材１の深縦溝部１７ｂに縦支持材４ａを載せて（図１２中破線部）既存のモヤ５に固定する。次に、その縦支持材４ａ上に交差させて、浅横溝部１８ａに横支持材４ｂを載せ、それを深縦溝部１７ｂ上に位置する縦支持材４ａに止着する。
【００４６】
さらに、図示していないが、上層である第二実施例の断熱下地材１の浅縦溝部１７ａがタルキ６の上に位置していない場合について説明する。
たとえば、図２２や図２４において、断熱下地材１の浅縦溝部１７ａがタルキ６上からずれて並べられていたとする。このような場合には、まず、その断熱下地材１の深横溝部１８ｂに横支持材４ｂを載せて、タルキ６に固定する。次に、深横溝部１８ｂに載せられた横支持材４ｂ上に交差させて、浅縦溝部１７ａに縦支持材４ａを載せてから、深横溝部１８ｂに載せられて固定された横支持材４ｂに止着する。
【００４７】
これまで述べてきた第一実施例の断熱下地材１と第二実施例の断熱下地材１との組み合わせによる施工は、スレート瓦８と瓦棒葺き屋根９の改修で説明してきたが、金属製横葺き屋根材の改修にも使える。また、新築の場合にも施工することができる。
しかし、本発明に係る第一実施例の断熱下地材１と第二実施例１の縦溝部１７・１７には、浅縦溝部１７ａ・１７ａと深縦溝部１７ｂ・１７ｂとがあり、横溝部１８・１８には、浅横溝部１８ａ・１８ａと深横溝部１８ｂ・１８ｂとがある。そして、それぞれの縦溝部１７・１７と横溝部１８・１８とに支持材４を挿入することができ、支持材４を交差させて挿入することもできる。このため、既存の下地がモヤ５であってもタルキ６であっても、また、既存のモヤ６の配置が不揃いの場合でも対応でき、タルキ６ピッチが現場によって多少異なっていても対応できるので、改修に適したものとなっている。
これまでは、第一実施例の断熱下地材１と第二実施例の断熱下地材１との組み合わせにより、上層となる第二実施例の断熱下地材１の浅横溝部１８ａまたは浅縦溝部１７ａに支持材４を載せ、その支持材４に屋根材を固定していく施工の実施例を説明してきた。
ここからは、前述の第一実施例及び第二実施例の断熱下地材１のうち、第一実施例の断熱下地材１のみ、または第二実施例の断熱下地材１のみを用いた施工の実施例について説明する。それらは、施工後の屋根の高さや工事代金などを考慮して、比較的高さが低くコストもかからないものを求められた場合などに用いられる。
【００４８】
まず、図２６から図３３により、第二実施例の断熱下地材１を用いてスレート瓦８を改修する実施例を説明する。
図２６と図２７は、既存のモヤ５の上にスレート瓦８が施工してある場合に、縦葺き屋根材を施工する例を示している。この場合には、まず、第二実施例の断熱下地材１を既存のスレート瓦８の上に並べる。左右方向は、被横重なり部１５に、隣りに施工する断熱下地材１の横重なり部１６を載せ、棟側被重なり部１３に、次の段に施工する断熱下地材１の軒側重なり部１４を載せていく。このとき、隣り合う断熱下地材１の浅縦溝部１７ａ・１７ａ同士及び浅横溝部１８ａ・１８ａ同士を連通させて並べていく。また、既存のモヤ５上に、浅横溝部１８ａが位置するように載せる。
次に、浅横溝部１８ａに横支持材４ｂを載せて、止着具Ｃを貫通させて既存のモヤ５に固定する。続いて、既存のモヤ５に固定されている横支持材４ｂに吊子を固定し、その吊子に縦葺き屋根材を施工していく。
【００４９】
図２８と図２９は、既存のモヤ５の上にスレート瓦８が施工してある場合に、横葺き屋根材を施工する例を示している。この場合には、まず、第二実施例の断熱下地材１を既存のスレート瓦８の上に並べる。左右方向は、被横重なり部１５に、隣りに施工する断熱下地材１の横重なり部１６を載せ、棟側被重なり部１３に、次の段に施工する断熱下地材１の軒側重なり部１４を載せていく。このとき、隣り合う断熱下地材１の浅縦溝部１７ａ・１７ａ同士及び浅横溝部１８ａ・１８ａ同士を連通させて並べていく。
次に、浅縦溝部１７ａに縦支持材４ａを載せて、止着具Ｃを貫通させて既存のモヤ５に固定する。続いて、既存のモヤ５に固定されている縦支持材４ａに横葺き屋根材を直接固定するか、または吊子を用いて施工していく。
【００５０】
図３０と図３１は、既存のタルキ６の上にスレート瓦８が施工してある場合に、縦葺き屋根材を施工する例を示している。この場合には、まず、第二実施例の断熱下地材１を既存のスレート瓦８の上に並べる。左右方向は、被横重なり部１５に、隣りに施工する断熱下地材１の横重なり部１６を載せ、棟側被重なり部１３に、次の段に施工する断熱下地材１の軒側重なり部１４を載せていく。このとき、隣り合う断熱下地材１の浅縦溝部１７ａ・１７ａ同士及び浅横溝部１８ａ・１８ａ同士を連通させて並べていく。
次に、浅横溝部１８ａに横支持材４ｂを載せて、止着具Ｃを貫通させて既存のタルキ６に固定する。続いて、既存のタルキ６に固定されている横支持材４ｂに吊子を固定し、その吊子に縦葺き屋根材を施工していく。
【００５１】
図３２と図３３は、既存のタルキ６の上にスレート瓦８が施工してある場合に、横葺き屋根材を施工する例を示している。この場合には、まず、第二実施例の断熱下地材１を既存のスレート瓦８の上に並べる。左右方向は、被横重なり部１５に、隣りに施工する断熱下地材１の横重なり部１６を載せ、棟側被重なり部１３に、次の段に施工する断熱下地材１の軒側重なり部１４を載せていく。このとき、隣り合う断熱下地材１の浅縦溝部１７ａ・１７ａ同士及び浅横溝部１８ａ・１８ａ同士を連通させて並べていく。また、既存のタルキ６の上に、浅縦溝部１７ａが位置するように、被横重なり部１５と横重なり部１６を調整して並べる。次に、浅縦溝部１７ａに縦支持材４ａを載せて、止着具Ｃを貫通させて既存のタルキ６に固定する。続いて、既存のタルキ６に固定されている縦支持材４ａに横葺き屋根材を直接固定するか、または吊子を用いて施工していく。
【００５２】
尚、前述した図２６の場合にも、深縦溝部１７ｂに縦支持材４ａを載せて既存のモヤ５に止着し、その縦支持材４ａに交差させて浅横溝部１８ａに横支持材４ｂを載せてから、深縦溝部１７ｂ上の縦支持材４ａに止着して、縦葺き屋根材を施工してもよい。
続いては、前述の断熱下地材１のうち、第一実施例の断熱下地材１のみを用いた施工の実施例について説明する。
【００５３】
図３４から図３７が既存のスレート瓦８の上に断熱下地材１を用いた場合であり、図３８から図４１が既存の瓦棒葺き屋根９の上に断熱下地材１を用いた場合である。
図３４は、第一実施例の断熱下地材１を用いて、既存のモヤ５の上に施工された既存のスレート瓦８を、縦葺き屋根材で改修する場合を示している。
この場合には、これまで述べたような方法で断熱下地材１を左右方向・軒−棟方向に敷き並べていく。そして、浅横溝部１８ａに横支持材４ｂを載せて既存のモヤ５に止着具Ｃで固定する。さらに、その横支持材４ｂに吊子を止着し、その吊子に縦葺き屋根材を固定していく。
図３４中に破線で示した縦支持材４ａは、前述した通り、軒や棟などで既存のモヤ５ピッチが異なったり、左右方向の既存のモヤ５の芯がまっすぐに出ていなかったりした場合を示している。この場合には、深縦溝部１７ｂに縦支持材４ａを先に入れておき、既存のモヤ５に固定する。そして、その縦支持材４ａに交差させて浅横溝部１８ａに横支持材４ｂを載せて、深縦溝部１７ｂ上の縦支持材４ａに止着するのである。
【００５４】
図３５は、第一実施例の断熱下地材１を用いて、既存のモヤ５の上に施工された既存のスレート瓦８を、横葺き屋根材で改修する場合を示している。
この場合には、これまで述べたような方法で断熱下地材１を左右方向・軒−棟方向に敷き並べていく。そして、浅縦溝部１７ａに縦支持材４ａを載せて既存のモヤ５に止着具Ｃで固定する。さらに、その縦支持材４ａに吊子を止着して横葺き屋根材を施工するか、または直接縦支持材４ａに横葺き屋根材を固定していく。
【００５５】
図３６は、第一実施例の断熱下地材１を用いて、既存のタルキ６の上に施工された既存のスレート瓦８を、縦葺き屋根材で改修する場合を示している。
この場合には、これまで述べたような方法で断熱下地材１を左右方向・軒−棟方向に敷き並べていく。そして、浅横溝部１８ａに横支持材４ｂを載せて既存のタルキ６に止着具Ｃで固定する。さらに、その横支持材４ｂに吊子を止着して縦葺き屋根材を施工する。
【００５６】
図３７は、第一実施例の断熱下地材１を用いて、既存のタルキ５の上に施工された既存のスレート瓦８を、横葺き屋根材で改修する場合を示している。
この場合には、これまで述べたような方法で断熱下地材１を左右方向・軒−棟方向に敷き並べていく。そして、深横溝部１８ｂに横支持材４ｂを載せて既存のタルキ６に固定する。次に、その横支持材４ｂに交差させて浅縦溝部１７ａに縦支持材４ａを載せて横支持材４ｂに止着具で固定する。さらに、縦支持材４ａに吊子を止着して横葺き屋根材を施工するか、または直接縦支持材４ａに横葺き屋根材を固定していく。
浅縦溝部１７ａの位置を、既存のタルキ６の位置に合わせたならば、深横溝部１８ｂに横支持材４ｂを載せなくて済む。その場合には、浅縦溝部１７ａを既存のタルキ６の上に位置させ、その浅縦溝部１７ａに縦支持材４ａを載せて、既存のタルキ６に止着具Ｃで固定する。
【００５７】
図３８は、第一実施例の断熱下地材１を用いて既存のモヤ５の上に施工された既存の瓦棒葺き屋根９を、縦葺き屋根材で改修する場合を示している。
この場合には、断熱下地材１を、その切り欠き条部１２が瓦棒９１にかぶさるようにして瓦棒葺き屋根９に載せる。このとき、瓦棒葺き屋根９のピッチが４５５ｍｍなら、左右に隣り合う断熱下地材１・１を少し離して載せる。４５５ｍｍ幅の金属板を用いた４１８ｍｍピッチの瓦棒葺き屋根９の場合なら、隣り合う断熱下地材１・１同士の間隔を調整して狭めて載せることになる。本実施例の断熱下地材１は、前述の通り、左右の断熱下地材１・１を少し離した場合でも、被横重なり部１５と横重なり部１６が必ず重合するように寸法設定されている。
次に、浅横溝部１８ａに横支持材４ｂを載せて、その上から止着具Ｃを貫通させて既存のモヤ５に固定する。続いて、浅横溝部１８ａに載せられて既存のモヤ５に固定された横支持材４ｂに、縦葺き屋根材を固定するための吊子を所定の間隔で載せてから、止着具で止着する。そして、その吊子に縦葺き屋根材を施工していく。
このとき、断熱下地材１には既存のモヤ５ピッチとほぼ同じ間隔で浅横溝部１８ａが形成されているため、浅横溝部１８ａに横支持材４ｂを配置していくことで、横支持材４ｂをほぼ６０６ｍｍピッチで既存のモヤ５に確実に止着できる。
図３８中破線で示した縦支持材４ａは、前述した通りであり、浅横溝部１８ａに横支持材４ｂを載せる前に、深縦溝部１７ｂに縦支持材４ａを載せて既存のモヤ５に止着した場合を示している。
【００５８】
図３９は、既存のモヤ５の上に施工された既存の瓦棒葺き屋根９を、横葺き屋根材で改修する場合を示している。
この場合には、第一実施例の断熱下地材１を、その切り欠き条部１２が瓦棒９１にかぶさるようにして瓦棒葺き屋根９に載せる。このとき、瓦棒葺き屋根９のピッチが４５５ｍｍなら、左右に隣り合う断熱下地材１・１を少し離して載せる。４５５ｍｍ幅の金属板を用いた４１８ｍｍピッチの瓦棒葺き屋根９の場合なら、隣り合う断熱下地材１・１同士の間隔を狭めて載せることになる。本実施例の断熱下地材１は、前述の通り、左右の断熱下地材１・１を少し離した場合でも、被横重なり部１５と横重なり部１６が必ず重合するように寸法設定されている。
次に、浅縦溝部１７ａに縦支持材４ａを載せて、その上から止着具Ｃを貫通させて既存のモヤ５に固定する。続いて、浅縦溝部１７ａに載せられて既存のモヤ５に固定された縦支持材４ａに、横葺き屋根材を止着具で直接固定するか、吊子を用いて横葺き屋根材を施工していく。
このとき、断熱下地材１には新設の横葺き屋根材の止着ピッチとほぼ同じ間隔で浅縦溝部１７ａが形成されているため、縦支持材４ａを浅縦溝部１７ａの間隔で既存のモヤ５に固定していくことで、その上に施工する横葺き屋根材の固定ピッチが揃う。
【００５９】
図４０は、既存のタルキ６の上に施工された既存の瓦棒葺き屋根９を、縦葺き屋根材で改修する場合を示している。
この場合には、第一実施例の断熱下地材１を、その切り欠き条部１２が瓦棒９１にかぶさるようにして瓦棒葺き屋根９に載せる。このとき、瓦棒葺き屋根９のピッチが４５５ｍｍなら左右に隣り合う断熱下地材１・１を少し離し、ピッチが４１８ｍｍなら付けるようにして載せることになる。本実施例の断熱下地材１は、前述の通り、左右の断熱下地材１・１を少し離した場合でも、被横重なり部１５と横重なり部１６が必ず重合するように寸法設定されている。いずれの場合にも、浅横溝部１８ａに横支持材４ｂを載せて、その上から止着具Ｃを貫通させて既存のタルキ６に固定する。
続いて、浅横溝部１８ａに載せられて既存のタルキ６に固定された横支持材４ｂに、縦葺き屋根材を固定するための吊子を所定の間隔で載せてから、止着具で止着する。そして、その吊子に縦葺き屋根材を施工していく。
このとき、断熱下地材１には既存のモヤ５ピッチ及び新設の縦葺き屋根材の止着ピッチとほぼ同じ間隔で浅横溝部１８ａが形成されているため、浅横溝部１８ａに横支持材４ｂを配置していくことで、横支持材４ｂをほぼ６０６ｍｍピッチでタルキ６に確実に止着できる。
【００６０】
図４１は、既存のタルキ６の上に施工された既存の瓦棒葺き屋根９を、横葺き屋根材で改修する場合を示している。
この場合には、第一実施例の断熱下地材１を、その切り欠き条部１２が瓦棒９１にかぶさるようにして瓦棒葺き屋根９に載せる。このとき、瓦棒葺き屋根９のピッチが４５５ｍｍなら左右に隣り合う断熱下地材１・１を少し離し、ピッチが４１８ｍｍなら付けるようにして載せることになる。本実施例の断熱下地材１は、前述の通り、左右の断熱下地材１・１を少し離した場合でも、被横重なり部１５と横重なり部１６が必ず重合するように寸法設定されている。
次に、深横溝部１８ｂに横支持材４ｂを載せて既存のタルキ６に固定する。続いて、その横支持材４ｂに交差させて浅縦溝部１７ａに縦支持材４ａを載せ、それを深横溝部１８ｂに載せられて固定された横支持材４ｂに止着具で固定する。
そして、浅縦溝部１７ａの上の縦支持材４ａに、横葺き屋根材を直接止着具で固定するか、吊子を用いて止着具で止着する作業を繰り返していく。
このとき、断熱下地材１には新設の横葺き屋根材のピッチとほぼ同じ間隔で浅縦溝部１７ａが形成されているため、浅縦溝部１７ａに載せられて固定された縦支持材４ａの間隔で、その上に施工する横葺き屋根材を固定することができる。
【００６１】
ここまでは、第一実施例の断熱下地材１または第二実施例の断熱下地材１のみを用いた場合を説明してきた。これらの場合でも、軒−棟方向に連通している箇所があるため、前述の効果を得ることができる。
以上述べてきた通り、本発明に係る第一実施例の断熱下地材１と第二実施例の断熱下地材１を用いたならば、第一実施例の断熱下地材１のみを用いて施工することもできるし、第二実施例の断熱下地材１のみを用いて施工することもできるし、組み合わせて施工することもできる。
しかも、既存の下地がモヤ５であってもタルキ６下地であっても使えるし、瓦棒葺き屋根９などの改修にも使えるし、支持材４の上に施工する屋根材も、横葺きでも縦葺きでもよい。
【００６２】
本発明に係る断熱下地材１・２が、瓦棒葺き屋根９などの改修に適していることを説明してきた。そこで、図４２（ア）（イ）と図４３とにより、瓦棒葺き屋根９の改修について再度説明しておく。それらは、既存の瓦棒葺き屋根９によく見られるタイプを示している。
図４２（ア）は、比較的瓦棒９１の高さが高く幅が狭いものである。そして、（ア）は、４５５ｍｍ幅の金属板を用いた４１８ｍｍピッチによる施工の場合であり、（イ）は、金属板の板取りに関係なく、施工ピッチを４５５ｍｍにした場合を示している。また、図４３は、図４２（ア）（イ）よりも瓦棒９１の高さが低く幅が広い瓦棒葺き屋根９を示している。
本発明に係る第一実施例の断熱下地材１を用いたならば、左右方向の間隔を調整して被横重なり部１５と横重なり部１６を重合することで、どちらのタイプの瓦棒葺き屋根９でも改修することができる。また、切り欠き条部１２も、どちらの瓦棒９１にも対応できるような形状に設計されており、瓦棒９１の上面と左右との隙間により通気も可能となる。
【００６３】
これまで述べた断熱下地材１と断熱下地材１とには、さまざまな実施例が考えられる。
たとえば、これまでは、棟側被重なり部１３に、次の段に配置する断熱下地材１の軒側重なり部１４を重ね、縦溝部１７及び切り欠き条部１２を軒−棟方向に連通させる実施例について述べてきた。
しかし、第一実施例の断熱下地材１と第二実施例の断熱下地材１とを組み合わせて用いる場合、どちらか一方の層の断熱下地材１の軒−棟方向を重ねずに突きつけにしてもよい。
あるいは、断熱下地材１の左右の重なりにおいて、上に載る側を左右逆にしてもよい。さらに、左右及び軒−棟の接続箇所を、横向きの凹と横向きの凸との組み合わせにしてもよい。
【００６４】
断熱下地材１は、これまで述べた実施例では、一種類のみを用いて、改修する瓦棒葺き屋根９のピッチが４５５ｍｍであっても４１８ｍｍであっても、必ず切り欠き条部１２が瓦棒葺き屋根９の瓦棒９１の上に位置するように、被横重なり部１５と横重なり部１６を調整することができることを特徴としていた。
しかし、切り欠き条部１２が左右に分かれている断熱下地材１をつなぎ合わせて配置してもよいし、切り欠き条部１２の上で断熱下地材１を左右に分けて、瓦棒葺き屋根９の瓦棒９１と瓦棒９１の間に落とし込むようなものでもよい。
【００６５】
さらに、上面に形成された縦溝部１７や横溝部１８については、次のような実施例も考えられる。
たとえば、施工する現場を限定するならば、断熱下地材１に形成されている縦溝部１７と横溝部１８において、深縦溝部１７ｂまたは深横溝部１８ｂのどちらかを無くしてもよい。また、それらの両方を無くしてもよい。
第一実施例の断熱下地材１は、第二実施例の断熱下地材１の下面側に組み合わせて用いる場合には、上面部１１に縦溝部１７及び横溝部１８を形成せず、平らなままのものでもよい。逆に、第二実施例の断熱下地材１に形成されているような通気溝２を形成してもよい。
他の実施例としては、次のようなことも考えられる。切り欠き条部１２の左右の斜面に、軒−棟方向に連続するか、または部分的な突起を形成してもよい。この突起を瓦棒葺き屋根９の瓦棒９１にはまる形状にしておき、瓦棒９１に、その突起をはめることで、断熱下地材１が風で飛ばないようにしたり、軒−棟方向に位置決めしたりすることができる。
【００６６】
さらに、図４４（ア）（イ）（ウ）により、断熱下地材１の他の実施例について説明する。
図４４（ア）（イ）（ウ）は、断熱下地材１の他の実施例であり、図９（イ）の支持材４に合わせて溝を形成してある。
（ア）は、浅縦溝部１７ａを切り欠き条部１２の上に形成したものである。この場合には、既存のタルキ６の上に施工された既存の瓦棒葺き屋根９を横葺き屋根材で改修するときに、その浅縦溝部１７ａに縦支持材４ａを載せて止着具Ｃを打ち込むことで、既存のタルキ６に確実に止着することができる。このため、あらかじめ横支持材を深横溝部に施工しておく材料と手間を省くことができる。
（イ）（ウ）は、（ア）の浅縦溝部１７ａを残したまま、さらに浅縦溝部１７ａを形成したものである。（イ）は、既存のモヤ５の上に施工された瓦棒葺き屋根９を改修する場合を示している。図示していないが、既存のモヤ５からは瓦棒葺き屋根９の吊子を止めるためのボルトが突出していることが多い。この場合には、瓦棒葺き屋根９の瓦棒９１の位置を避けて縦支持材４ａを止着しなければならない。このような場合には、（イ）のように、切り欠き条部１２の上ではない方の浅縦溝部１７ａに縦支持材４ａを載せて、既存のモヤ５に止着具Ｃを打ち込む。
（ウ）は、（イ）の断熱下地材１を用いて、既存のタルキ６の上に施工された瓦棒葺き屋根９を改修する場合を示している。この場合には、（イ）と同じ断熱下地材１を用いて、（ア）同様に、軒−棟方向において、前述のボルトを避けて既存のタルキ６上で位置をずらして縦支持材４ａを止めるための止着具Ｃを打ち込めばよい。（ア）とは異なり、このように、両方の場合に使うことができる。
【００６７】
これまで述べた通り、本発明に係る断熱下地材１を用いたならば、断熱効果を保ち、かつ、改修にも使えるし、その上には横葺き屋根材も縦葺き屋根材も葺くことができる。これまでの説明では、アスファルトルーフィングなどの防水紙の記述がないが、敷いても敷かなくてもよい。また、敷く場合にも、断熱下地材１の下でも上でもよい。
支持材４の施工も、断熱下地材１を敷き並べながら固定してもよいし、帯状ゴムや仮止めの止着具・両面接着テープなどによる固定ののちに、支持材４だけを後から止着していってもよい。
【００６８】
【発明の効果】
本発明に係る断熱下地材を用いたならば、モヤ下地の上に縦葺き屋根材を葺くこともできれば、横葺き屋根材を葺くこともでき、タルキ下地の上に縦葺き屋根材を葺くこともできれば、横葺き屋根材を葺くこともできる。
また、軒と棟に通気口を設けるならば、縦溝部を空気が流通して水蒸気を排出し通気機能を果たすため、断熱効果の高い断熱下地材を提供することができる。請求項１により、断熱下地材に形成された浅横溝部に横支持材を載せてモヤに固定し、その横支持材に縦葺き屋根材を施工していくことができる。
請求項２により、断熱下地材に形成された浅縦溝部に縦支持材を載せてタルキに固定し、その縦支持材に横葺き屋根材を施工していくことができる。
請求項３により、深縦溝部または深横溝部に位置する支持材を下地に止着し、その支持材に交差させて浅縦溝部または浅横溝部に、さらに支持材を載せて下段の支持材に固定し、上段の支持材に屋根材を固定することで、下地がモヤでもタルキでも、また、上段の支持材に固定する屋根材が縦葺きでも横葺きでも対応することができる。
【図面の簡単な説明】
【図１】本発明に係る断熱下地材１の第一実施例の斜視図である。
【図２】本発明に係る断熱下地材１の第一実施例の平面図である。
【図３】本発明に係る断熱下地材１の第一実施例の右側面図である。
【図４】本発明に係る断熱下地材１の第一実施例の正面図である。
【図５】本発明に係る断熱下地材１の第二実施例の斜視図である。
【図６】本発明に係る断熱下地材１の第二実施例の平面図である。
【図７】本発明に係る断熱下地材１の第二実施例の右側面図である。
【図８】本発明に係る断熱下地材１の第二実施例の正面図である。
【図９】（ア）（イ）は、支持材４の実施例の説明図である。
【図１０】第一実施例の断熱下地材１と第二実施例の断熱下地材１とを用いて、既存のモヤ５の上に施工された既存のスレート瓦８を、縦葺き屋根材で改修する場合の実施例を示す説明図である。
【図１１】第一実施例の断熱下地材１と第二実施例の断熱下地材１とを用いて、既存のモヤ５の上に施工された既存のスレート瓦８を、縦葺き屋根材で改修する場合の実施例を示す説明図である。
【図１２】第一実施例の断熱下地材１と第二実施例の断熱下地材１とを用いて、既存のモヤ５の上に施工された既存の瓦棒葺き屋根９を、縦葺き屋根材で改修する場合の実施例を示す説明図である。
【図１３】（ア）（イ）は、第一実施例の断熱下地材１と第二実施例の断熱下地材１とを用いて、既存のモヤ５の上に施工された既存の瓦棒葺き屋根９を、縦葺き屋根材で改修する場合の実施例を示す説明図である。
【図１４】第一実施例の断熱下地材１と第二実施例の断熱下地材１とを用いて、既存のモヤ５の上に施工された既存のスレート瓦８を、横葺き屋根材で改修する場合の実施例を示す説明図である。
【図１５】第一実施例の断熱下地材１と第二実施例の断熱下地材１とを用いて、既存のモヤ５の上に施工された既存のスレート瓦８を、横葺き屋根材で改修する場合の実施例を示す説明図である。
【図１６】第一実施例の断熱下地材１と第二実施例の断熱下地材１とを用いて、既存のモヤ５の上に施工された既存の瓦棒葺き屋根９を、横葺き屋根材で改修する場合の実施例を示す説明図である。
【図１７】（ア）（イ）は、第一実施例の断熱下地材１と第二実施例の断熱下地材１とを用いて、既存のモヤ５の上に施工された既存の瓦棒葺き屋根９を、横葺き屋根材で改修する場合の実施例を示す説明図である。
【図１８】第一実施例の断熱下地材１と第二実施例の断熱下地材１とを用いて、既存のタルキ６の上に施工された既存のスレート瓦８を、縦葺き屋根材で改修する場合の実施例を示す説明図である。
【図１９】第一実施例の断熱下地材１と第二実施例の断熱下地材１とを用いて、既存のタルキ６の上に施工された既存のスレート瓦８を、縦葺き屋根材で改修する場合の実施例を示す説明図である。
【図２０】第一実施例の断熱下地材１と第二実施例の断熱下地材１とを用いて、既存のタルキ６の上に施工された既存の瓦棒葺き屋根９を、縦葺き屋根材で改修する場合の実施例を示す説明図である。
【図２１】第一実施例の断熱下地材１と第二実施例の断熱下地材１とを用いて、既存のタルキ６の上に施工された既存の瓦棒葺き屋根９を、縦葺き屋根材で改修する場合の実施例を示す説明図である。
【図２２】第一実施例の断熱下地材１と第二実施例の断熱下地材１とを用いて、既存のタルキ６の上に施工された既存のスレート瓦８を、横葺き屋根材で改修する場合の実施例を示す説明図である。
【図２３】第一実施例の断熱下地材１と第二実施例の断熱下地材１とを用いて、既存のタルキ６の上に施工された既存のスレート瓦８を、横葺き屋根材で改修する場合の実施例を示す説明図である。
【図２４】第一実施例の断熱下地材１と第二実施例の断熱下地材１とを用いて、既存のタルキ６の上に施工された既存の瓦棒葺き屋根９を、横葺き屋根材で改修する場合の実施例を示す説明図である。
【図２５】第一実施例の断熱下地材１と第二実施例の断熱下地材１とを用いて、既存のタルキ６の上に施工された既存の瓦棒葺き屋根９を、横葺き屋根材で改修する場合の実施例を示す説明図である。
【図２６】第二実施例の断熱下地材１を用いて、既存のモヤ５の上に施工された既存のスレート瓦８を、縦葺き屋根材で改修する場合の実施例を示す説明図である。
【図２７】第二実施例の断熱下地材１を用いて、既存のモヤ５の上に施工された既存のスレート瓦８を、縦葺き屋根材で改修する場合の実施例を示す説明図である。
【図２８】第二実施例の断熱下地材１を用いて、既存のモヤ５の上に施工された既存のスレート瓦８を、横葺き屋根材で改修する場合の実施例を示す説明図である。
【図２９】第二実施例の断熱下地材１を用いて、既存のモヤ５の上に施工された既存のスレート瓦８を、横葺き屋根材で改修する場合の実施例を示す説明図である。
【図３０】第二実施例の断熱下地材１を用いて、既存のタルキ６の上に施工された既存のスレート瓦８を、縦葺き屋根材で改修する場合の実施例を示す説明図である。
【図３１】第二実施例の断熱下地材１を用いて、既存のタルキ６の上に施工された既存のスレート瓦８を、縦葺き屋根材で改修する場合の実施例を示す説明図である。
【図３２】第二実施例の断熱下地材１を用いて、既存のタルキ６の上に施工された既存のスレート瓦８を、横葺き屋根材で改修する場合の実施例を示す説明図である。
【図３３】第二実施例の断熱下地材１を用いて、既存のタルキ６の上に施工された既存のスレート瓦８を、横葺き屋根材で改修する場合の実施例を示す説明図である。
【図３４】第一実施例の断熱下地材１を用いて、既存のモヤ５の上に施工された既存のスレート瓦８を、縦葺き屋根材で改修する場合の実施例を示す説明図である。
【図３５】第一実施例の断熱下地材１を用いて、既存のモヤ５の上に施工された既存のスレート瓦８を、横葺き屋根材で改修する場合の実施例を示す説明図である。
【図３６】第一実施例の断熱下地材１を用いて、既存のタルキ６の上に施工された既存のスレート瓦８を、縦葺き屋根材で改修する場合の実施例を示す説明図である。
【図３７】第一実施例の断熱下地材１を用いて、既存のタルキ６の上に施工された既存のスレート瓦８を、横葺き屋根材で改修する場合の実施例を示す説明図である。
【図３８】第一実施例の断熱下地材１を用いて、既存のモヤ５の上に施工された既存の瓦棒葺き屋根９を、縦葺き屋根材で改修する場合の実施例を示す説明図である。
【図３９】第一実施例の断熱下地材１を用いて、既存のモヤ５の上に施工された既存の瓦棒葺き屋根９を、横葺き屋根材で改修する場合の実施例を示す説明図である。
【図４０】第一実施例の断熱下地材１を用いて、既存のタルキ６の上に施工された既存の瓦棒葺き屋根９を、縦葺き屋根材で改修する場合の実施例を示す説明図である。
【図４１】第一実施例の断熱下地材１を用いて、既存のタルキ６の上に施工された既存の瓦棒葺き屋根９を、横葺き屋根材で改修する場合の実施例を示す説明図である。
【図４２】（ア）（イ）は、本発明に係る第一実施例の断熱下地材１と瓦棒葺き屋根９の関係を示す説明図である。
【図４３】本発明に係る第一実施例の断熱下地材１と瓦棒葺き屋根９の関係を示す説明図である。
【図４４】（ア）（イ）（ウ）は、断熱下地材１の他の実施例を示す説明図である。
【図４５】従来技術を示す説明図である。
【符号の説明】
１      断熱下地材
１１    上面部
１２    切り欠き条部
１３    棟側被重なり部
１４    軒側重なり部
１５    被横重なり部
１６    横重なり部
１７    縦溝部
１７ａ  浅縦溝部
１７ｂ  深縦溝部
１８    横溝部
１８ａ  浅横溝部
１８ｂ  深横溝部
２      通気溝
４      支持材
４ａ    縦支持材
４ｂ    横支持材
４１    止着部
４２    脚部
４３    載置部
５      モヤ
６      タルキ
７      野地材
８      スレート瓦
９      瓦棒葺き屋根
９１    瓦棒
Ｃ      止着具
【図１】
0003769206.tif 000002
【図２】
0003769206.tif 000003
【図３】
0003769206.tif 000004
【図４】
0003769206.tif 000005
【図５】
0003769206.tif 000006
【図６】
0003769206.tif 000007
【図７】
0003769206.tif 000008
【図８】
0003769206.tif 000009
【図９】
0003769206.tif 000010
【図１０】
0003769206.tif 000011
【図１１】
0003769206.tif 000012
【図１２】
0003769206.tif 000013
【図１３】
0003769206.tif 000014
【図１４】
0003769206.tif 000015
【図１５】
0003769206.tif 000016
【図１６】
0003769206.tif 000017
【図１７】
0003769206.tif 000018
【図１８】
0003769206.tif 000019
【図１９】
0003769206.tif 000020
【図２０】
0003769206.tif 000021
【図２１】
0003769206.tif 000022
【図２２】
0003769206.tif 000023
【図２３】
0003769206.tif 000024
【図２４】
0003769206.tif 000025
【図２５】
0003769206.tif 000026
【図２６】
0003769206.tif 000027
【図２７】
0003769206.tif 000028
【図２８】
0003769206.tif 000029
【図２９】
0003769206.tif 000030
【図３０】
0003769206.tif 000031
【図３１】
0003769206.tif 000032
【図３２】
0003769206.tif 000033
【図３３】
0003769206.tif 000034
【図３４】
0003769206.tif 000035
【図３５】
0003769206.tif 000036
【図３６】
0003769206.tif 000037
【図３７】
0003769206.tif 000038
【図３８】
0003769206.tif 000039
【図３９】
0003769206.tif 000040
【図４０】
0003769206.tif 000041
【図４１】
0003769206.tif 000042
【図４２】
0003769206.tif 000043
【図４３】
0003769206.tif 000044
【図４４】
0003769206.tif 000045
【図４５】
0003769206.tif 000046